(57)【要約】【課題】本考案の課題は、収納袋の開口周縁部の保形性を高め、ゴミ等の収納を確実に行い、収納袋の着脱操作を簡便にし、キッチン等の狭小スペースに設置可能で、チリトリ機能を備えると共に、良好なデザイン性を有し、床面等に安定して設置することができ、生ゴミの収納を可能とし、製作コストを安価とすることができる、収納袋保持具を提供すること。【解決手段】保持具２０は、前面板１、後面板２、左側面板３及び右側面板からなり、全体形状を正面視ほぼ逆台形とし、上方に開口部Ｋを形成して函型漏斗状としている。【選択図】図１
0003165262.tif 000002
【実用新案登録請求の範囲】
【請求項１】
ゴミ等の収納袋保持具であって、前面板、後面板及び左右側面板からなり、全体形状を正面視ほぼ逆台形とし、上方に開口部を形成して函型漏斗状としたことを特徴とする収納袋保持具。
【請求項２】
請求項１記載の収納袋保持具において、前記前面板の高さ寸法が前記後面板の高さ寸法より小としていることを特徴とする収納袋保持具。
【請求項３】
請求項１記載の収納袋保持具において、前記左右側面板の外表面に収納袋の提げ手掛吊用の掛止部を設けていることを特徴とする収納袋保持具。
【請求項４】
請求項１又は請求項２記載の収納袋保持具において、前記後面板の上部に係止具用の取り付け穴を複数並設していることを特徴とする収納袋保持具。
【請求項５】
請求項１又は請求項２記載の収納袋保持具において、前記前面板のほぼ中央に把持部を設けていることを特徴とする収納袋保持具。
【請求項６】
請求項１、請求項２、請求項４又は請求項５の何れかに記載の収納袋保持具において、前記前面板及び後面板の下部に収納袋保持具を安定させるための補助脚板を取り付けていることを特徴とする収納袋保持具。
【請求項７】
請求項１記載の収納袋保持具において、前記開口部を開閉可能な摘み付き蓋体を取り付けていることを特徴とする収納袋保持具。
【請求項８】
請求項１〜請求項７の何れかに記載の収納袋保持具において、構成部材の前面板、後面板、左右側面板、掛止部、把持部及び補助脚板の素材が、厚紙、硬質合成樹脂、薄鉄板又はアルミ材であることを特徴とする収納袋保持具。
【考案の詳細な説明】
【技術分野】
【０００１】
本考案は、収納袋保持具に関し、より詳しくは、収納袋の開口周縁部の保形性を高め、ゴミ等の投入、収納を確実に行い、かつ収納袋の着脱操作等が簡便である共にデザイン性豊かな収納袋保持具に関する。
【背景技術】
【０００２】
スーパーマーケット、コンビニエンスストア又は各種量販店等で商品（食料品等）を購入すると、その商品をレジで半透明の軟質プラスチック製袋体（通称、レジ袋）に入れてくれることが多い。商品購入者は、自宅に帰るとレジ袋から購入した商品等を取り出して冷蔵庫等に収容した後、空になったレジ袋は、例えば、台所から出るゴミや使用済みのティッシュペーパー等を収容するゴミ袋として利用している。（市町村指定のゴミ袋を使用する場合もある）
【０００３】
ゴミ袋をそのままキッチンやリビングの床面等に置いたのでは衛生的にも問題があり、見栄えも悪いので、ゴミ袋を保持又は掛止する器具については、従来から各種提案されている。（例えば、特許文献１〜４参照）。
【０００４】
特許文献１（第１頁、図１参照）の「ゴミ袋ホルダー」は、壁面に固定される基体に弾力性を有するアームを両側方へ向けて形成し、各アームの先端部にゴミ袋の上縁一辺両端部を固定するクリップを取り付け、ゴミ袋の上縁一辺を基体に形成した抑制片の後方に抑制保持して、ゴミ袋の上縁他辺を前方へ引っ張ると、アームが撓んでゴミ袋が開口し、手を離すとアームが復元してゴミ袋が閉じる構成とされている。
【０００５】
特許文献２（第１頁、図１参照）の「ゴミ袋の吊り下げ具」は、キッチン家具や洗面家具等の扉体に装着されるゴミ袋の吊り下げ具であって、扉体の前面に垂下する保持板の前面に、ゴミ袋の把手を掛けることのできる引掛片を上下に一対設けた構成とされている。
【０００６】
特許文献３（第１頁、図１参照）の「レジ袋屑入れ」は、台座と支柱と袋掛け枠とからなるレジ袋屑入れで、袋掛け枠において相対向する部分にレジ袋提手用係止片を複数設け、この相対向する係止片群間にレジ袋封止片挟持用押さえ部材を設け、支柱を袋掛け枠の後方上下に装着可能にして袋掛け枠を支柱から前方に突き出させ、かつ、多段装着可能にした構成としている。
【０００７】
特許文献４（第１頁、図１参照）の「ショッピング袋を利用したゴミ袋ホルダー」は、
ホルダー本体と、前記ホルダー本体に一定間隔をおいて設けられ、ショッピング袋の把手部を開いた状態で引っ掛けて吊り下げる一対の吊り掛け部と、机の横板等の固定部材に係入してホルダー本体を保持する係止保持部とゴミ箱等の縦壁部材に掛け止めする側面視下向きコ字形縦掛け係止部とを備えているものである。
【先行技術文献】
【特許文献】
【０００８】
【特許文献１】特開２００４−２０３５５４号公報
【特許文献２】特開２００３−１０４５０３号公報
【特許文献３】特開２００１−２４０２０８号公報
【特許文献４】特開平９−２９０９０１号公報
【考案の概要】
【考案が解決しようとする課題】
【０００９】
しかしながら、上記の先行技術における、特許文献１の「ゴミ袋ホルダー」では、ゴミ袋に重量のあるゴミを収容した場合には、アームが回復不能なほど変形してしまったり破損してしまうおそれがある。また、アーム先端部のクリップのゴミ袋保持力が弱まると、ゴミ袋が床面等に落下してしまう不具合がある。
【００１０】
また、特許文献２の「ゴミ袋の吊り下げ具」は、ゴミ袋にゴミを入れる際には一旦ゴミ袋の片方の把手を外し、ゴミ袋を開口しなければならいという欠点がある。
【００１１】
また、特許文献３の「レジ袋屑入れ」は、台座、支柱及び袋掛け枠とからなっているので、キッチン等のスペースを狭小とし、主婦等が料理をするに際しての行動等が制約される不都合がある。
【００１２】
さらに特許文献４の「ショッピング袋を利用したゴミ袋ホルダー」は、ゴミ箱等縦壁部材の存在が必要になり使用場所が限られてしまう欠点を有する。
【００１３】
本考案の課題は、（１）収納袋の開口周縁部の保形性を高め、（２）ゴミ等の収納を確実に行い、（３）収納袋の着脱操作を簡便にし、（４）キッチン等の狭小スペースに設置可能で、（５）チリトリ機能を備えると共に、良好なデザイン性を有し、（６）床面等に安定して設置することができ、（７）生ゴミの収納を可能とし、（８）製作コストを安価とすることができる、収納袋保持具を提供することにある。
【課題を解決するための手段】
【００１４】
本願考案者は、上記従来技術が有する各種の不具合、問題点に鑑み、鋭意検討を重ねて本考案を完成したものである。課題を解決するための手段は、本願、実用新案登録請求の範囲の各請求項に記載の考案であり、その具体的な解決手段は、以下の通りである。
【００１５】
課題を解決するための第１の考案は、請求項１に記載の考案であり、ゴミ等の収納袋保持具であって、前面板、後面板及び左右側面板からなり、全体形状を正面視ほぼ逆台形とし、上方に開口部を形成して函型漏斗状としたことを特徴としている。
【００１６】
課題を解決するための第２の考案は、請求項２に記載の考案であり、請求項１記載の収納袋保持具において、前記前面板の高さ寸法が前記後面板の高さ寸法より小としていることを特徴としている。
【００１７】
課題を解決するための第３の考案は、請求項３に記載の考案であり、請求項１記載の収納袋保持具において、前記左右側面板の外表面に収納袋の提げ手掛吊用の掛止部を設けていることを特徴としている。
【００１８】
課題を解決するための第４の考案は、請求項４に記載の考案であり、請求項１又は請求項２記載の収納袋保持具において、前記後面板の上部に係止具用の取り付け穴を複数並設していることを特徴としている。
【００１９】
課題を解決するための第５の考案は、請求項５に記載の考案であり、請求項１又は請求項２記載の収納袋保持具において、前記前面板のほぼ中央に把持部を設けていることを特徴としている。
【００２０】
課題を解決するための第６の考案は、請求項６に記載の考案であり、請求項１、請求項２、請求項４又は請求項５の何れかに記載の収納袋保持具において、前記前面板及び後面板の下部に収納袋保持具を安定させるための補助脚板を取り付けていることを特徴としている。
【００２１】
課題を解決するための第７の考案は、請求項７に記載の考案であり、請求項１記載の収納袋保持具において、前記開口部を開閉可能な摘み付き蓋体を取り付けていることを特徴としている。
【００２２】
課題を解決するための第８の考案は、請求項８に記載の考案であり、請求項１〜請求項７の何れかに記載の収納袋保持具において、構成部材の前面板、後面板、左右側面板、掛止部、把持部及び補助脚板の素材が、厚紙、硬質合成樹脂、薄鉄板又はアルミ材であることを特徴としている。
【考案の効果】
【００２３】
本考案に係る収納袋保持具は、上記の構成になるから以下の効果を奏する。すなわち、第１の考案によれば、「ゴミ等の収納袋保持具であって、前面板、後面板及び左右側面板からなり、全体形状を正面視ほぼ逆台形とし、上方に開口部を形成して函型漏斗状とした」という特徴的な構成としているので、収納袋の開口周縁部の保形性を高めるという効果を奏する。
【００２４】
第２の考案によれば、「前記前面板の高さ寸法が前記後面板の高さ寸法より小としている」という特徴的な構成としているので、ゴミ等の投入と収納を確実に行うことができる。
【００２５】
第３の考案によれば、「前記左右側面板の外表面に収納袋の提げ手掛吊用の掛止部を設けている」という特徴的な構成としているので、提げ手付きの収納袋（例えば、レジ袋）の着脱操作を簡便に行うことができる。
【００２６】
第４の考案によれば、「前記後面板の上部に係止具用の取り付け穴を複数並設している」という特徴的な構成としているので、例えば、キッチンや洗面所等狭小スペースの壁面にフック等を介して容易に設置することができる。
【００２７】
第５の考案によれば、「前記前面板のほぼ中央に把持部を設けている」という特徴的な構成としているので、チリトリ機能を備えている。すなわち、床面等に落ちているゴミがあるとき、把持部を片手で持ち、後面板の頂部を床面に接すれば、チリトリとして使用できる。また、収納袋保持具の全体形状は、ほぼ逆台形をなし、一種のロボットの顔面を想起させるユニークなデザインとなっているので小児も楽しくゴミの整理整頓を手伝い、日常生活における躾教育ともなる。
【００２８】
第６の考案によれば、「前記前面板及び後面板の下部に収納袋保持具を安定させるための補助脚板を取り付けている」という特徴的な構成としているので、例えば、床面等に安定して立設することができる。
【００２９】
第７の考案によれば、「前記開口部を開閉可能な摘み付き蓋体を取り付けている」という特徴的な構成としているので、キッチン等での生ゴミを収納するのに適している。
【００３０】
第８の考案によれば、「構成部材の前面板、後面板、左右側面板、掛止部、把持部及び補助脚板の素材が、厚紙、硬質合成樹脂、薄鉄板又はアルミ材である」という特徴的な構成としているので、製作コストを安価とすることができる効果を奏する。
【図面の簡単な説明】
【００３１】
【図１】は、本考案に係る収納袋保持具の第１の実施態様を示す正面図である。
【図２】は、同側面図である。
【図３】は、図１におけるＡ−Ａ線断面図である。
【図４】は、本考案に係る収納袋保持具の第２の実施態様を示す正面図である。
【図５】は、図４におけるＢ−Ｂ線断面図である。
【図６】は、本考案に係る収納袋保持具の使用状態を示す斜視図である。
【図７】は、同使用状態を示す側面図である。
【考案を実施するための形態】
【００３２】
以下、本考案に係る収納袋保持具（以下、保持具２０又は２１という）の実施形態について図面を参照にして詳細に説明する。図１〜図３に示すのは、保持具２０の第１の実施態様を示している。ゴミ等を投入し、収納する収納袋（レジ袋等）Ｐ（図６、７、参照）の保持具２０は、前面板１、後面板２、左側面板３及び右側面板４からなっている。保持具２０の全体形状は、図１に示すように正面視ほぼ逆台形をなし、上方には開口部Ｋが形成されて函型の漏斗状となっている。図１〜図３に図示するように後面板頂部２ａ及び前面板頂部１ａから後面板下端部２ｂ及び前面板下端部１ｂに向け、保持具２０の下方が狭小となるように傾斜している。また左側面板３及び右側面板４のそれぞれの頂部３ａ、４ａから前面板１の頂部１ａに向けて緩やかな円弧を形成している。前面板１の高さ寸法Ｈ１は、後面板２の高さ寸法Ｈ２より小とし、また後面板頂部２ａと前面板頂部１ａ間の巾寸法Ｌ１は、後面板下端部２ｂと前面板下端部１ｂ間の巾寸法Ｌ２より大とし、ゴミ等の投入を容易としている。
【００３３】
左側面板３及び右側面板４の外表面３ｂ、４ｂのやや上方には収納袋の提げ手掛吊用の掛止部５及び６を設けている。掛止部５及び６の内側には左側面板３及び右側面板４の外表面３ｂ、４ｂとの空隙を設けるためにそれぞれ間隔保持部材５ａ、６ａが取り付けられている。図１に示すように、後面板２の上部には、例えば、フック等の係止具用取り付け穴２ｈが複数並設されている。また前面板１のほぼ中央には把持部７を設けている。把持部７は、前面板１の内側からボルト７ｂによって固定されている。さらに前面板１及び後面板２の下部には、保持具２０を床面ＦＬ等に立設するときに保持具２０を水平に安定させるための補助脚板８、９が取り付けられている。
【００３４】
図４及び図５に示すのは、保持具２１の第２の実施態様を示し、保持具２１は、保持具２０の前面板１の頂部１ａに蓋体２２を装着した構成としている。２３は摘みで、前面板１の頂部１ａに装着されたヒンジ２４を介して開口部Ｋを開閉可能とするもので、例えば、キッチン等でできる生ゴミの収納に適し、通常、蓋体２２は、開口部Ｋを閉塞しておき、生ゴミが出たとき、摘み２３を図５に示すように上方に引き上げて生ゴミを投入し、収納が終われば再び開口部Ｋを閉塞しておく。これにより、生ゴミの異臭等の放散を防ぐことができる。
【００３５】
保持具２０及び保持具２１の主要な構成部材である前面板１、後面板２、左右側面板３、４、掛止部５、６、把持部７、補助脚板８、９及び蓋板２２の素材は、厚紙、硬質合成樹脂、薄鉄板又はアルミ材からそれぞれ選択して製作することができる。
【００３６】
図６は、保持具２０の使用状態を示している。例えば、キッチン又は洗面所等の壁面Ｗの適所にフックＦ等の係止具を予め取り付けておき、当該フックＦに取り付け穴２ｈを掛吊する。次に把持部７を片手で持って保持具２０全体を斜め上方に揚げながらスーパーマーケット等でもらった収納袋（レジ袋等）Ｐの開口部Ｐａを保持具２０の補助脚板８、９の下方から挿入した後、提げ手部分Ｐｂを、掛止部５及び６に取り付ければ、収納袋（レジ袋等）Ｐの保持具２０への装着作業は終了し、ゴミ等Ｇは保持具２０の開口部Ｋに投入され、収納袋（レジ袋等）Ｐ内に収納される。収納袋（レジ袋等）Ｐ内にゴミが満タン状態になれば、提げ手部分Ｐｂを掛止部５、６から取り外して、収納袋（レジ袋等）Ｐの上部を緊縛してゴミ集積所等に持参して廃棄する。
【００３７】
図７は、保持具２０をチリトリとして使用する状態を示している。例えば床面ＦＬ等に落ちているゴミＧがあるとき、把持部７を片手で持って、後面板２の頂部２ａを床面ＦＬに接し、他方の手で箒Ｃ等を使い、床面上のゴミＧを収納袋（例えば、レジ袋Ｐ）内に掃き入れることができる。
【産業上の利用可能性】
【００３８】
本考案に係る保持具２０及び２１は、スーパーマーケット等でもらう商品収納袋（レジ袋等）に簡便に取り付けて、日常生活で派生する各種ゴミや生ゴミを投入、収納を確実、簡便に行い、省資源等に貢献することができる。また土嚢等を製作するときは、保持具２０の大きさを、土嚢等の開口部に適する所定の大きさと素材を選択して製作することができる。
【符号の説明】
【００３９】
２０、２１    保持具
Ｐ            収納袋（レジ袋等）
１            前面板
２            後面板
２ｈ          取り付け穴
３            左側面板
４            右側面版
Ｋ            開口部
Ｈ            後面板の高さ寸法
ｈ            前面板の高さ寸法
Ｌ１          後面板頂部と前面板頂部の巾寸法
Ｌ２          後面板下端部と前面板下端部の巾寸法
５、６        掛止部
７            把持部
８、９        補助脚板
１０          蓋体
１１ａ        摘み
Ｐ            収納袋（レジ袋）
【図１】
0003165262.tif 000003
【図２】
0003165262.tif 000004
【図３】
0003165262.tif 000005
【図４】
0003165262.tif 000006
【図５】
0003165262.tif 000007
【図６】
0003165262.tif 000008
【図７】
0003165262.tif 000009